【手続補正書】
【提出日】平成23年11月21日(2011.11.21)
【手続補正１】
【補正対象書類名】特許請求の範囲
【補正対象項目名】全文
【補正方法】変更
【補正の内容】
【特許請求の範囲】
【請求項１】
折り畳み自在な戸パネル（Ｐ１・Ｐ２）を、ガイドレール（２）に組んだランナー本体（１６）でランナー軸（１７）を介して吊り下げ支持する折戸の支持装置であって、
戸パネル（Ｐ１・Ｐ２）の対向面のそれぞれに、前記ランナー軸（１７）を捕捉連結する吊込みユニット（８）が設けられており、
吊込みユニット（８）は、戸パネル（Ｐ１・Ｐ２）に装着されるホルダー（３０）と、ホルダー（３０）の収容凹部（３４）に収容されてランナー軸（１７）と交差する向きに往復揺動可能に支持されるロックレバー（８０）と、ロックレバー（８０）をランナー軸（１７）と係合する向きに移動付勢するばね（８１）とを含み、
前記収容凹部（３４）の内奥には、ランナー軸（１７）の抜止体（１７ａ）を受け止める段壁が設けられており、
ロックレバー（８０）の揺動先端には、ランナー軸（１７）の軸周面を係合捕捉する段部（８３）が設けられており、
戸パネル（Ｐ１・Ｐ２）の表面で挟持されたランナー軸（１７）を収容凹部（３４）に落とし込み係合し、対向する戸パネル（Ｐ１・Ｐ２）を接近操作して、ランナー軸（１７）を軸受部（４９）と段部（８３）とで係合保持できる折戸用の支持装置。
【請求項２】
収容凹部（３４）は、ロックレバー（８０）およびランナー軸（１７）を受け入れる上凹部（３４ａ）と、抜止体（１７ａ）を受け入れる下凹部（３４ｂ）とからなり、
上凹部（３４ａ）の内奥に臨むロックレバー（８０）の一端に、ランナー軸（１７）を捕捉係合するＬ字状の段部（８３）が形成され、ロックレバー（８０）の他端に、ロックレバー（８０）をばね（８１）の付勢力に抗してロック解除する解除爪（８２）が設けてある請求項１に記載の折戸用の支持装置。  
【手続補正２】
【補正対象書類名】明細書
【補正対象項目名】全文
【補正方法】変更
【補正の内容】
【発明の詳細な説明】
【発明の名称】折戸用の支持装置  
【技術分野】
【０００１】
本発明は、折り畳み自在なパネル対が吊り下げ支持してある形態の折戸に適用される支持装置に関する。
【背景技術】
【０００２】
本発明の折戸の吊り込み構造に関して特許文献１が公知である。そこでは、ガイドレールで移行案内されるランナー本体と、戸パネルの上隅に固定されるソケットとでランナーユニットを構成しており、一人の作業者のみでパネル対をランナー本体に吊り込むことができる。詳しくは、半折り状態のパネル対を起立させて、各戸パネルに固定したソケットでランナー本体の下方に突出するランナー軸を挟み、ランナー軸をソケット内部の仮保持部に落とし込み係合する。次にパネル対の全体を上向きに押し上げて、ランナー軸を仮保持部の下側の抜止部に入り込ませ、抜止部に設けたロック構造でランナー軸を分離不能にロック保持する。
【０００３】
上記のように、一人の作業者のみで吊り込み作業を行なえる吊り込み構造は、特許文献２にも見ることができる。そこでは、ガイドレールで移行案内されるランナー本体と、ランナー本体の下方にランナー軸を介して吊持されるランナー台と、戸パネルの上隅に固定されるソケットとでランナーユニットを構成している。ランナー台には、互いに係合してランナー台をランナー軸の回りに回転不能に保持する牽制構造が設けてある。吊り込み作業時には、牽制構造を接合してランナー台を一体化しておく。この状態で半折り状態のパネル対を起立させて、一対のランナー台を戸パネルの対向面の上部に挟み込み、パネル対を前後にスライド操作してランナー台の下部をソケット内に落とし込み係合させる。さらに、パネル対を押し上げてランナー台をソケット内に完全に係合させ、ランナー台の内部に設けたロック構造でランナー台を分離不能にロック保持する。最後に、一対の戸パネルを互いに遠ざかる向きに移動操作して、牽制構造の係合状態を解除する。
【先行技術文献】
【特許文献】
【０００４】
【特許文献１】特許第３７６４７３６号公報（段落番号００２２、図５〜図７）
【特許文献２】特開２００５−１７１７１３号公報（段落番号００４６〜００５０、図１）
【発明の開示】
【発明が解決しようとする課題】
【０００５】
特許文献１の吊り込み構造においては、ランナー軸をソケット内部の仮保持部に落とし込み係合したのち、戸パネルの全体を上向きに持ち上げてランナー軸をロック係合する。同様に、特許文献２の吊り込み形態においても、戸パネルの全体を上向きに持ち上げて、ランナー台をソケットにロック係合する必要がある。そのため、戸パネルとガイドレールとの間に、戸パネルの上方移動を許す隙間を確保しておく必要があり、折戸を吊り込んだ状態において、戸パネルと床面との間に戸パネルを押し上げ操作した分だけ隙間が生じるのを避けられない。多くの場合は、戸パネルとガイドレールとの間にも余分な隙間が形成される。
【０００６】
また、特許文献１の吊り込み構造では、ランナー軸をソケット内部の仮保持部に落とし込み係合する過程で、戸パネルに固定したソケットの高さがランナー軸の高さと概ね合致するように戸パネルを起立支持した状態のままで、ランナー軸とソケットの前後位置を合わせる必要がある。つまり、二つ折りにしたパネル対を両手で支持した不安定な姿勢のままで、戸パネルとランナー軸の上下位置と前後位置とを同時に合致させる必要があるので、吊り込み作業に失敗することがある。さらに、ソケットに設けた弾性ロック片をランナー軸の鍔部分に係合して、ランナー軸を弾性ロック片で直接的にロック保持するので、戸パネルに衝撃的な上向きの外力が作用するような場合に、弾性ロック片と鍔部分との係合が解除されるおそれがある。
【０００７】
本発明の目的は、一対の戸パネルを単に接近操作するだけでランナー軸を吊込みユニットに連結して、戸パネルをランナー本体に吊り込むことができ、したがって、折戸の吊り込み作業を一人の作業者だけで迅速にしかも確実に行える折戸の支持装置を提供することにある。本発明の目的は、ガイドレールを組立基準にして折戸を吊り込むことができ、したがって、従来のこの種の支持装置に比べて、より確実にしかも簡便にランナー軸を吊込みユニットに係合連結して、施工の手間を軽減できる折戸の支持装置を提供することにある。
【課題を解決するための手段】
【０００８】
本発明に係る折戸の支持装置は、折り畳み自在な戸パネルＰ１・Ｐ２を、ガイドレール２に組んだランナー本体１６でランナー軸１７を介して吊り下げ支持する。戸パネルＰ１・Ｐ２の対向面のそれぞれに、前記ランナー軸１７を捕捉連結する吊込みユニット８が設けられている。吊込みユニット８は、戸パネルＰ１・Ｐ２に装着されるホルダー３０と、ホルダー３０の収容凹部３４に収容されてランナー軸１７と交差する向きに往復揺動可能に支持されるロックレバー８０と、ロックレバー８０をランナー軸１７と係合する向きに移動付勢するばね８１とを含む。収容凹部３４の内奥には、ランナー軸１７の抜止体１７ａを受け止める段壁が設けてある。ロックレバー８０の揺動先端には、ランナー軸１７の軸周面を係合捕捉する段部８３が設けてある。戸パネルＰ１・Ｐ２の表面で挟持されたランナー軸１７を収容凹部３４に落とし込み係合し、対向する戸パネルＰ１・Ｐ２を接近操作して、ランナー軸１７を軸受部４９と段部８３とで係合保持できる。
【０００９】
収容凹部３４は、ロックレバー８０およびランナー軸１７を受け入れる上凹部３４ａと、抜止体１７ａを受け入れる下凹部３４ｂとからなる。上凹部３４ａの内奥に臨むロックレバー８０の一端に、ランナー軸１７を捕捉係合するＬ字状の段部８３を形成する。さらに、ロックレバー８０の他端に、ロックレバー８０をばね８１の付勢力に抗してロック解除する解除爪８２を設ける。
【００１０】
【００１１】
【００１２】
【００１３】
【００１４】
【００１５】
【００１６】
【発明の効果】
【００１７】
本発明では、折り畳み自在な戸パネルＰ１・Ｐ２の対向面に吊込みユニット８を設け、ガイドレール２に組んだランナー本体１６のランナー軸１７を先の吊込みユニット８で捕捉連結する。吊込みユニット８はランナー軸１７と交差する向きに往復揺動するロックレバー８０を備えており、戸パネルＰ１・Ｐ２の表面で挟持されたランナー軸１７を収容凹部３４に落とし込み係合したのち、対向する戸パネルＰ１・Ｐ２を接近操作することにより、ランナー軸１７を軸受部４９と段部８３とで係合保持できるようにした。
【００１８】
以上のように本発明の支持装置によれば、ランナー軸１７を収容凹部３４に落とし込み係合したのち、対向する戸パネルＰ１・Ｐ２を接近操作するだけで、ランナー軸１７を吊込みユニット８で捕捉連結し、その状態をロック保持できる。したがって、従来のこの種の装置に比べると、戸パネルＰ１・Ｐ２を押し上げ操作してランナー軸１７を完全に係合固定する必要がなく、一対の戸パネルＰ１・Ｐ２を一人の作業者だけでランナー本体１６に対してより迅速にしかも確実に吊り込むことができる。また、戸パネルＰ１・Ｐ２を押し上げ操作する必要がないので、折戸を吊り込んだ状態において、戸パネルＰ１・Ｐ２と床面や、戸パネルＰ１・Ｐ２とガイドレール２との間に余分な隙間が生じるのを解消でき、従来のこの種の支持装置に比べて、より確実にしかも簡便に折戸を吊り込んで施工の手間を軽減できる。必要に応じて、ガイドレール２を組立基準に利用しながら折戸を吊り込むこともできる。さらに、ロックレバー８０が参考例における捕捉レバー３１とロック構造を兼ねるので、吊込みユニット８の構成部品点数を少なくでき、構造が簡単な分だけ吊込みユニット８の製造コストを削減できる。
【００１９】
上凹部３４ａの内奥に臨むロックレバー８０の一端に段部８３を設け、ロックレバー８０の他端に解除爪８２を設けると、解除爪８２を操作することでロックレバー８０を簡便にロック解除できる。
【００２０】
【００２１】
【００２２】
【００２３】
【００２４】
【００２５】
【００２６】
【００２７】
【００２８】
【００２９】
【発明を実施するための最良の形態】
【００３０】
（参考例）  図１ないし図８は本発明に係る折戸用の支持装置の参考例を示す。図２において折戸は左右一対のパネル対で構成してあり、両パネル対は開口枠１の上下に配置したガイドレール２・３で折り畳み開閉自在に案内支持してある。各パネル対は２個の戸パネルＰ１・Ｐ２の隣接縁どうしをヒンジ４で連結して構成してある。パネル対を全展開した状態において開口中央で隣接する戸パネルＰ２の屈折縁の近傍には、パネル対を開閉操作する把手５が固定してある。ヒンジ４の内部には、全展開状態と半展開状態を維持するクリック機構が組み込んである。各パネル対の両側端の上下には、ガイドレール２・３で移行案内されるランナーユニットと振止具７とが組み込んである。ガイドレール２は下向きに開口する断面Ｃ字状のアルミニウム条材からなり、開口縁の前後にランナー本体１６を支持するレール壁２ａを備えている（図４参照）。
【００３１】
振止具７は、ケース１１の内部に振止軸１２と、振止軸１２を下向きに押し出し付勢するばね１３とを収容し、ケース１１の下部に突出する軸１２の下端に遊転自在なローラー１４を組み付けて構成する。ローラー１４の回転周面を床面に埋め込んだガイドレール３で移行案内することにより、戸パネルＰ１・Ｐ２の前後傾動を規制できる。
【００３２】
図３および図４においてランナーユニットは、ガイドレール２で移行案内されるランナー本体１６と、ランナー本体１６で軸支されるランナー軸１７とで構成する。ランナー本体１６は、プラスチック成形品からなる横長のボディ１８と、ボディ１８の前後面の左右に配置される４個のローラー１９と、ボディ１８を前後に貫通するローラー軸２０と、ボディ１８の内部に組み込まれる吊り高さ調整機構などで構成する。図７に示すように、ガイドレール２の内部で隣接するランナー本体１６のボディ１８には、両ランナー本体１６の接近限界を規定するストッパー２１が設けてある。ストッパー２１は、隣接するボディ１８の対向面のそれぞれに突設した角棒状の突起からなる。
【００３３】
吊り高さ調整機構は、一方のローラー軸２０で上下揺動自在に軸支される調整レバー２３と、調整レバー２３をねじ板２４を介して調整揺動操作する調整ねじ２５と、ランナー軸１７の上端に固定されて調整レバー２３で上下操作される受動金具２６などで構成する。調整ねじ２５は、ボディ１８に差し込み装着した止め板２７で回転のみ自在に支持されており、そのねじ軸部分がねじ板２４にねじ込んである。調整ねじ２５を正逆いずれかへ回転操作すると、その分だけねじ板２４が上下いずれかへ移動し、ねじ板２４が上下移動した分だけ調整レバー２３を揺動変位させて、受動金具２６およびランナー軸１７の高さを調整変更できる。
【００３４】
ランナー本体１６で支持される戸パネルＰ１・Ｐ２の対向面の上隅部分には、ランナー軸１７を捕捉係合するための吊込みユニット８が設けてある。吊込みユニット８は、各戸パネルＰ１・Ｐ２に凹み形成した装着凹部２９に嵌め込み装着されるホルダー３０と、ホルダー３０で往復揺動可能に支持される捕捉レバー（捕捉体）３１と、捕捉レバー３１を捕捉待機位置へ向かって移動付勢する捻りコイル形のばね３２と、捕捉レバー３１をロック保持するロック構造などで構成する。
【００３５】
ホルダー３０は、装着凹部２９に装着されるカップ部３０ａと、カップ部３０ａの一側周縁に張り出し形成されるＣ字状の締結座３０ｂとを一体に備えたプラスチック成形品からなる。カップ部３０ａの内部には、先の捕捉レバー３１などを組み込むための収容凹部３４が形成してある。収容凹部３４は締結座３０ｂが張り出してある側のホルダー側面で開口してあり、この開口面が捕捉レバー３１の出入りを許すレバー開口３５になっている。また、レバー開口３５とホルダー３０の上端面との間には、ランナー軸１７の往復揺動を許すガイド溝３６が部分円弧状に形成してある。カップ部３０ａを装着凹部２９に装着したのち、締結座３０ｂの周縁３箇所をビスで締結することにより、ホルダー３０が戸パネルＰ１・Ｐ２に固定される。
【００３６】
図６において捕捉レバー３１は、垂直の揺動ピン３９で往復揺動可能に軸支されるボス４０と、ボス４０の周面に突設される受止腕４１と、受止腕４１の中途部から連出されるガイド腕４２と、受止腕４１の基端とボス４０の周面との間に膨出される三角形状のストッパー片４３と、ガイド腕４２の中途部に張り出される翼片４４とを一体に備えたプラスチック成形品からなる。受止腕４１のガイド腕４２との分岐隅部にはランナー軸１７用の捕捉凹部４５が形成してあり、翼片４４に隣接するガイド腕４２の腕面には、後述するロック構造のロック穴４６が上下貫通状に形成してある。翼片４４の下面には、ロックピン５２を押し下げ操作するための傾斜面４４ａが形成してある（図７参照）。
【００３７】
捕捉凹部４５は優弧状の凹み穴からなり、その周縁にガイド腕４２の腕周縁が外接する状態で連続している。図６に示すように、受止腕４１は、上下方向の中途部に設けたスリット４７で上下に区分してあり、スリット４７より上側の腕部分で捕捉凹部４５に臨む箇所に弾性爪４８が一体に形成してある。
【００３８】
収容凹部３４に捕捉レバー３１とばね３２を収容した状態で、ボス４０をホルダー３０に装着した揺動ピン３９で軸支することにより、捕捉レバー３１の全体がランナー軸１７と交差（直交）する向きに往復揺動可能に支持され、ばね３２でホルダー３０の外面へ向かって移動付勢される。図１に示すように、ばね３  ２のばね腕の一方は、収容凹部３４の内面壁に接当され、ばね腕の他方は翼片４４側のガイド腕４２の側縁に掛止してある。捕捉レバー３１は、受止腕４１および捕捉凹部４５がレバー開口３５の外面に露出する捕捉待機位置（図９（ａ）に示す状態）から、受止腕４１が収容凹部３４内の開口面端に位置する中間位置（図９（ｂ）に示す状態）を経て、受止腕４１および捕捉凹部４５などの捕捉レバー３１の全体が収容凹部３４の内奥に収まってロック構造でロック保持される使用位置（図９（ｃ）に示す状態）へと揺動変位できる。
【００３９】
捕捉待機位置においては、図９（ａ）に示すようにストッパー片４３の一方の辺部が収容凹部３４の内周面で受け止められるので、それ以上捕捉レバー３１が外向きに揺動することはない。この状態のガイド腕４２は、図１に示すように受止腕４１の中途部からホルダー３０内へ向かって伸びてレバー開口３５の上下中央部分を塞いでいるので、ランナー軸１７のフランジ１７ａが収容凹部３４に入り込むのをガイド腕４２で規制できる。また、捕捉待機位置と使用位置との中間位置においては、受止腕４１の外側縁がレバー開口３５の開口縁の内部に入り込んでいるものの、捕捉レバー３１はロック構造でロック保持されてはいない。
【００４０】
図５および図６においてロック構造は、ホルダー３０で捕捉レバー３１の揺動中心軸に沿って上下方向へ往復スライド自在に案内されるロックピン５２と、ロックピン５２を上向きにロック付勢するロックばね（圧縮ばね）５３と、捕捉レバー３１に設けられるロック穴４６と、ロックピン５２をロックばね５３の付勢力に抗してロック解除操作する解除レバー５４とで構成する。ロックピン５２は丸軸状のプラスチック成形品からなり、その下部寄りに解除レバー５４を連結するための縦溝５５が形成され、縦溝５５の下方にロックばね５３用のばね座５６が凹み形成してある。
【００４１】
捕捉レバー３１の揺動軌跡に臨む収容凹部３４の下壁に、ロックピン５２をスライド自在に支持するガイド穴５８が形成され、ガイド穴５８の下方に解除レバー５４を収容するレバー収容穴５９が、ホルダー３０を前後に貫通する状態で形成してある。レバー収容穴５９は断面四角形状に形成してあり、レバー開口３５と同じ側の開口が、解除レバー５４をロック解除操作するためのレバー窓６０になっている。レバー収容穴５９の底壁には、ロックばね５３の下端に設けた軸部５３ａを嵌め込み装着するためのばね受穴６１が形成してある。
【００４２】
解除レバー５４は帯状のプレス金具からなり、長手方向の中途部にレバーピン６３で軸支されるボス部６４が形成してある。ロックばね５３をばね受穴６１に組み、さらにロックピン５２をガイド穴５８に装填してロックばね５３を圧縮変形させた状態で、解除レバー５４の一端を縦溝５５内に差し込み連結し、先のボス部６４をホルダー３０に装着したレバーピン６３で軸支することにより、ロックピン５２とロックばね５３と解除レバー５４の三者が連動可能に連結される。この連結状態において、解除レバー５４の操作端はレバー窓６０を介してホルダー３０の外面に臨んでいるが、レバー窓６０の開口面より内側に位置している。解除レバー５４が誤ってロック解除操作されるのを避けるためである。
【００４３】
捕捉レバー３１が捕捉待機位置にあるときは、図５に示すように解除レバー５４の縦溝５５側のレバー端がレバー収容穴５９の上面で受け止められるため、ロックピン５２はその上部がガイド５８から突出する状態に保持される。この状態から、捕捉レバー３１をばね１３の付勢力に抗して収容凹部３４の内部へ向かって押し込み操作すると、図７に示すように翼片４４の下面の傾斜面４４ａがロックピン５２の上面に接当し、ロックばね５３の付勢力に抗しながらロックピン５２を押し下げ操作する。しかし、捕捉レバー３１が中間位置まで押し込み操作されたとしても、ロックピン５２とロック穴４６との位置がずれているので、捕捉レバー３１がロック構造でロック保持されることはなく、したがって、捕捉レバー３１に作用する押し込み力を解放すると、捕捉レバー３１は再び捕捉待機位置へ復帰揺動する。その意味は後述する。
【００４４】
以上のように構成した折戸用の支持装置においては、以下の要領でパネル対をランナー本体１６に吊り込む。吊り込み作業に先行して、４個のランナー本体１６をガイドレール２に組み付け、図８に示すように隣接する２個のランナー本体１６のストッパー２１どうしを接当させて、隣接するランナー本体１６の接近限界を規定しておく。このとき、吊り高さ調整機構の調整ねじ２５を操作して、ランナー軸１７を下限位置に位置させておく。これにより、ランナー軸１７の下端に張り出したフランジ（抜止体）１７ａがガイドレール２の下面に大きく突出する。
【００４５】
次に、振止具１２のローラー１４を床面側のガイドレール３に組み付けて、戸パネルＰ１・Ｐ２の下面が床面で受け止められた状態で、二つ折りにしたパネル対をガイドレール２と交差する向きに起立操作する。このときの戸パネルＰ１・Ｐ２は、図８（ａ）に示すように、吊込みユニット８の対向間隔Ｂが隣接するランナー本体１６のランナー軸１７の軸間距離Ｌより僅かに大きくなるように保持する。起立操作したパネル対Ｐ１・Ｐ２をガイドレール２と交差させることにより、隣接するランナー軸１７を戸パネルＰ１・Ｐ２の対向面で同時に挟み保持する。さらに戸パネルＰ１・Ｐ２を同レール２と交差する向きに押込み操作して、ホルダー３０の外面に突出する捕捉レバー３１の受止腕４１をランナー軸１７に接当させ、受止腕４１でランナー軸１７の軸部分を案内して捕捉凹部４５に落とし込み係合することにより、図８（ｂ）および図９（ａ）に示すように仮係合状態にする。このとき、ランナー軸１７は弾性爪４８を弾性変形させながら乗り越えて捕捉凹部４５と係合し、弾性爪４８によって仮係合状態に保持される。
【００４６】
ひき続き、対向する戸パネルＰ１・Ｐ２を接近移動操作することにより、捕捉レバー３１がばね３２に抗してホルダー３０の内部へ押し込まれる。同時に捕捉凹部４５に仮係合されたランナー軸１７が、捕捉レバー３１と同行揺動してガイド溝３６の内部に入り込む。また、ロックピン５２は翼片４４の下面の傾斜面４４ａで押し込まれて捕捉レバー３１の下面で受け止められる。因みに、ランナー軸１７が捕捉凹部４５で仮係合された状態におけるランナー軸１７の軸間距離Ｌは、対向する戸パネルＰ１・Ｐ２の対向面どうしを密着接合したと仮定した場合のランナー軸１７の軸間距離より十分に大きく設定してある。したがって、図８（ｂ）に示す状態から対向する戸パネルＰ１・Ｐ２を接近操作すると、ランナー軸１７で位置保持された捕捉レバー３１へ向かってホルダー３０が接近移動することになり、その結果、捕捉レバー３１を使用位置に切り換え、同時にロックピン５２がロック穴４６に進入係合して捕捉レバー３１をロック保持できる。このロック状態において、吊り高さ調整機構の調整ねじ２５を操作して、ランナー軸１７を上方へ移動させ、その下端に張り出したフランジ１７ａで捕捉レバー３１の下面を受け止めることにより、戸パネルＰ１・Ｐ２を吊り込むことができる。このように、参考例の吊り込み構造によれば、戸パネルＰ１・Ｐ２の全体を上向きに持ち上げてロック係合する必要がないので、吊り込んだ状態における戸パネルＰ１・Ｐ２と床面との間の隙間や、戸パネルＰ１・Ｐ２とガイドレール２との間の隙間を極力小さくすることができる。
【００４７】
一対のランナー軸１７を戸パネルＰ１・Ｐ２の対向面で同時に挟み保持するとき、吊込みユニット８はガイドレール２の下面手前側に位置させる必要がある。しかし、戸パネルＰ１・Ｐ２を起立した時点で、吊込みユニット８がガイドレール２の下面をくぐり抜けてしまうことがありうる。そうした場合には、ランナー軸１７を保持した状態のままで戸パネルＰ１・Ｐ２を手前側へ移動させることにより、捕捉レバー３１がランナー軸１７で中間位置まで押し込まれ、ランナー軸１７が捕捉レバー３１を乗り越えた後に、捕捉レバー３１は捕捉待機位置へと復帰する。したがって、起立操作したＰ１・Ｐ２を元の状態に倒し込んで位置補正を行なうなど、吊り込み作業をやり直す必要がなく、その分だけ折戸の吊り込み作業を迅速に行なえる。
【００４８】
吊込みユニット８で係合捕捉したランナー軸１７を分離するときは、レバー窓６０に臨む解除レバー５４の操作端を上向きに押し上げて、ロックピン５２をロック穴４６から抜き出し操作する。これにより、捕捉レバー３１はばね３２の付勢力を受けて使用位置から捕捉待機位置へと揺動する。この状態でランナー軸１７と捕捉凹部４５との係合状態を解除することにより、戸パネルＰ１・Ｐ２をランナー本体１６から分離できる。
【００４９】
起立操作したパネル対Ｐ１・Ｐ２をガイドレール２と交差させたのち、隣接するランナー軸１７を戸パネルＰ１・Ｐ２の対向面で同時に挟み保持し、さらに同レール２と交差する向きに移動して、ランナー軸１７を捕捉レバー３１で仮係合する過程では、パネル対の上端をガイドレール２にあてがった状態で一連の作業を行なうことができる。換言すると、ガイドレール２を組立基準にして一連の作業を行なうことができ、吊り込み作業をさらに簡便に、しかも確実に行うことができる。その場合には、吊り高さ調整機構の調整ねじ２５を操作して、ランナー軸１７を下限位置に位置させておく必要はない。
【００５０】
上記の参考例では、ランナー本体１６に設けたストッパー２１で隣接するランナー軸１７の軸間距離Ｌを規定したがその必要はなく、図１０に示す牽制具７０を使用して、ランナー軸１７の軸間距離Ｌを規定することができる。そこでは、隣接するランナー本体１６の対向面のそれぞれにＣ字状の係合溝７１を形成しておき、これらの係合溝７１に先の牽制具７０を係合装着して軸間距離Ｌを規定する。牽制具７０はＴ字形に形成してあり、上部左右の腕の先端に係合溝７１に係脱する二又状の弾性係合爪７２を備えている。また、中央の支柱７３の下部前後に接当壁７３を突設し、各接当壁７３の上面前後にガイドレール２のレール壁２ａに係脱する弾性係合爪７４を設けている。符号７５は摘みである。
【００５１】
折戸を吊り込むときは、ガイドレール２の下面開口から牽制具７０をレール内に差し込んで、弾性係合爪７４をレール壁２ａに係合し、接当壁７３と弾性係合爪７４との挟持作用によって牽制具７０をレール壁２ａに固定する。この状態でランナー本体１６の係合溝７１に牽制具７０の弾性係合爪７２を圧嵌係合して、両ランナー本体１６と牽制具７０を一体化し、ランナー軸１７の軸間距離Ｌを規定する。この後、戸パネルＰ１・Ｐ２を先に説明した要領で吊り込む。吊り込み作業が完了したら、戸パネルＰ１・Ｐ２を互いに離れる向きに展開操作して、係合溝７１と弾性係合爪７２との係合状態を解除し、さらに牽制具７０をガイドレール２から取り外す。
【００５２】
上記のように、ガイドレール２に装着した牽制具７０でランナー本体１６を係合保持すると、一体化した両ランナー本体１６がガイドレール２に沿って移動しようとするのを牽制具７０で規制できるので、折戸の吊り込み作業をより安定した状態で的確に行なうことができる。
【００５３】
上記の参考例ではパネル対を二つ折りにした状態において、対向する吊込みユニット８の受止腕４１が、平面から見て戸パネルＰ１・Ｐ２の表面からハ字状に突出する（図８参照）。しかし、図８における左右の吊込みユニット８を、左右逆にして戸パネルＰ１・Ｐ２に組み込むと、対向する吊込みユニット８の受止腕４１は、戸パネルＰ１・Ｐ２の表面から逆ハ字状に突出することになる。このように吊込みユニット８が左右逆に組まれた折戸用の支持装置においては、以下のようにしてパネル対を吊り込むことができる。
【００５４】
戸パネルＰ１・Ｐ２の下面が床面で受け止められた状態で、二つ折りにしたパネル対をガイドレール２と交差する向きに起立操作して、パネル対Ｐ１・Ｐ２をガイドレール２と交差させ、隣接するランナー軸１７を戸パネルＰ１・Ｐ２の突端対向面で同時に挟み保持する。この状態で戸パネルＰ１・Ｐ２を同レール２と交差する向きに押し込み操作して、ランナー軸１７が捕捉レバー３１を乗り越えるようにする。捕捉レバー３１を乗り越えたランナー軸１７は、捕捉レバー３１より作業者の側に位置することになる。したがって、戸パネルＰ１・Ｐ２を作業者の側へ引き寄せ操作することにより、ホルダー３０の外面に突出する捕捉レバー３１の受止腕４１をランナー軸１７に接当させて、その捕捉凹部４５にランナー軸１７を落とし込んで仮係合状態にできる。以後は、対向する戸パネルＰ１・Ｐ２を接近移動操作することにより、捕捉レバー３１がばね３２に抗してホルダー３０の内部へ押し込まれて使用位置に切り換わり、同時にロックピン５２がロック穴４６に進入係合して捕捉レバー３１をロック保持できる。以上の説明から理解できるように、吊込みユニット８のパネル対Ｐ１・Ｐ２に対する組み付け形態は、一対の受止腕４１が平面から見てハ字状に対向する形態と、一対の受止腕４１が平面から見て逆ハ字状に対向する形態とのいずれであってもよい。
【００５５】
図１１ないし図１３は本発明に係る吊込みユニットの実施例を示す。そこでは、各戸パネルＰ１・Ｐ２の装着凹部２９に嵌め込み装着されるホルダー３０と、ホルダー３０の収容凹部３４に収容されて、往復揺動可能に支持されるロックレバー８０と、ロックレバー８０を待機位置へ向かって移動付勢する捻りコイル形のばね８１とで吊込みユニット８を構成する。ロックレバー８０の一端には解除爪８２が設けてあり、解除爪８２の近傍部分が揺動ピン３９で軸支してある、ロックレバー８０の他端には、ランナー軸１７を捕捉係合するＬ字状の段部８３が形成してある。収容凹部３４は、ロックレバー８０およびランナー軸１７を受け入れる上凹部３４ａと、フランジ１７ａを受け入れる下凹部３４ｂとからなり、両者の隣接部分に形成される段壁によってフランジ１７ａの上面を支持できる（図１３参照）。
【００５６】
常態におけるロックレバー８０は、図１２（ａ）に示すように段部８３が上収容部３４ａの内周面に接当して、ランナー軸１７の出入りする領域を斜めに横切っている。この状態で隣接するランナー軸１７を戸パネルＰ１・Ｐ２の対向面で同時に挟み保持し、パネル対の上端をガイドレール２にあてがった状態のままで、同レール２と交差する向きに移動させてランナー軸１７を収容凹部３４に落とし込み係合する。さらに、戸パネルＰ１・Ｐ２をガイドレール２に沿って接近移動操作して、ランナー軸１７を収容凹部３４の内奥へ相対移動させる。その過程で、ランナー軸１７は図１２（ｂ）に示すようにロックレバー８０をばね８１の付勢力に抗してロック解除方向へ変位させながら、収容凹部３４の内奥へ入り込む。そして、ランナー軸１７がロックレバー８０の揺動先端側を乗り越えるのと同時にフランジ１７ａが先の段壁で受け止められ、さらにランナー軸１７の軸周面が段部８３で係合捕捉される。
【００５７】
以上のように構成した吊込みユニット８は、ロックレバー８０が先の参考例における捕捉レバー３１とロック構造を兼ねるので、吊込みユニット８の構成部品点数を少なくでき、構造が簡単な分だけ吊込みユニット８の製造コストを削減できる。なお、この実施例における折戸の支持装置は以下のように要約できる。
【００５８】
折り畳み自在な戸パネルＰ１・Ｐ２を、ガイドレール２に組んだランナー本体１６でランナー軸１７を介して吊り下げ支持する折戸の支持装置であって、戸パネルＰ１・Ｐ２の対向面のそれぞれに、前記ランナー軸１７を捕捉連結する吊込みユニット８が設けられており、吊込みユニット８は、戸パネルＰ１・Ｐ２に装着されるホルダー３０と、ホルダー３０の収容凹部３４に収容されてランナー軸１７と交差する向きに往復揺動可能に支持されるロックレバー８０と、ロックレバー８０をランナー軸１７と係合する向きに移動付勢するばね８１とを含み、前記収容凹部３４の内奥には、ランナー軸１７のフランジ１７ａを受け止める段壁が設けられており、ロックレバー８０の揺動先端には、ランナー軸１７の軸周面を係合捕捉する段部８３が設けられており、戸パネルＰ１・Ｐ２の表面で挟持されたランナー軸１７を収容凹部３４に落とし込み係合し、対向する戸パネルＰ１・Ｐ２を接近操作して、ランナー軸１７を軸受部４９と段部８３とで係合保持できる折戸用の支持装置。
【００５９】
上記の参考例における捕捉凹部４５はガイド腕４２の側に凹み形成することができる。ロック穴４６は捕捉レバー３１のボス４０に形成することができる。ロックピン５２は、前後スライド自在あるいは左右スライド自在に支持することができる。上記の参考例では、捕捉体３１をレバー構造として、ランナー軸１７と交差する向きに揺動変位するようにしたがその必要はない。例えば、捕捉体３１がランナー軸１７と交差する向きに往復スライドして、捕捉待機位置と使用位置に変位するものであってもよい。抜止体１７ａはランナー軸１７の下端に設ける必要はなく、ランナー軸１７の上下中途部に形成することができる。さらに抜止体１７ａはフランジ以外にランナー軸１７に対して相対回転する座金やローラーで形成することができる。上記の参考例では、捕捉レバー３１の平坦な下面を抜止体１７ａで直接吊持したが、その必要はなく捕捉レバー３１の下面に抜止体１７ａを受け止める座部を凹み形成することができる。
【図面の簡単な説明】
【００６０】
【図１】参考例に係る支持装置の横断平面図である。
【図２】参考例に係る折戸の正面図である。
【図３】参考例に係る支持装置の正面図である。
【図４】図３におけるＡ−Ａ線断面図である。
【図５】図３におけるＢ−Ｂ線断面図である。
【図６】参考例に係る吊込みユニットの斜視図である。
【図７】参考例に係る折戸の吊り込み途中状態を示す一部破断正面図である。
【図８】参考例に係る折戸の吊り込み手順を示す平面図である。
【図９】参考例に係る折戸の吊り込み手順を示す横断平面図である。
【図１０】折戸の吊り込み形態の別の参考例を示す一部破断正面図である。
【図１１】本発明に係る吊込みユニットの実施例を示す正面図である。
【図１２】図１１に係る吊込みユニットの吊り込み手順を示す横断平面図である。
【図１３】図１１に係る吊込みユニットの縦断正面図である。
【符号の説明】
【００６１】
２  ガイドレール
８  吊込みユニット
１６  ランナー本体
１７  ランナー軸
１７ａ  抜止体
２１  ストッパー
３０  ホルダー
３１  捕捉体
３２  ばね
３４  収容凹部
３６  ガイド溝
４１  受止腕
４４  翼片
４５  捕捉凹部
４６  ロック穴
４９  軸受部
５２  ロックピン
５３  ロックばね
８０  ロックレバー
８１  ばね
８３  段部
Ｌ  ランナー軸の軸間距離
Ｐ１・Ｐ２  戸パネル
【手続補正３】
【補正対象書類名】図面
【補正対象項目名】図１３
【補正方法】変更
【補正の内容】
【図１３】
2009174170.tif 000001